(57)【要約】【課題】ログアウト操作を忘れたユーザが移動前の場所に戻る必要を無くし、これにより使い勝手の良い電話システムとそのログイン管理方法を提供すること。【解決手段】ログインを要求する登録通知を受信すると、登録通知に含まれる使用者識別情報からログインユーザの電話番号を読み出し、同じ電話番号が登録されている場合にはさらにＩＰアドレスの一致／不一致を登録情報管理サーバ２０において確認する。電話番号が一致するがＩＰアドレスは一致しない場合には、このログインが初期登録か、登録更新であるかを判定する。初期登録であれば、同じユーザによる異なる電話機からのログインがなされたと判断し、新たな登録情報によりアドレス管理テーブル２５ｂの内容を上書きするようにする。【選択図】      図７
2006333219.tif 000002
【特許請求の範囲】
【請求項１】
パケット通信網に接続されこのパケット通信網におけるアドレス情報を一意に付与される複数の電話装置と、これらの複数の電話装置への着信を前記アドレス情報に基づいて制御する交換装置と、前記パケット通信網に接続されるサーバ装置とを具備する電話システムであって、
前記複数の電話装置の各々は、
使用者の識別情報に基づくログイン操作を受け付け、この識別情報と自装置のアドレス情報とを前記サーバ装置に通知する通知手段を備え、
前記サーバ装置は、
前記複数の電話装置の電話番号ごとに前記使用者の識別情報を対応付けてテーブル化した使用者管理テーブルと、
前記使用者の電話番号に対応する電話機のアドレス情報を動的に対応付けてテーブル化したアドレス管理テーブルと、
前記ログイン操作がなされた場合に、前記識別情報をキーとして前記使用者管理テーブルを参照してログインユーザの電話番号を特定する特定手段と、
前記特定された電話番号をキーとして前記アドレス管理テーブルを参照して、当該特定された電話番号の登録の有無を検証する検証手段と、
前記特定された電話番号が登録済みである場合に前記アドレス管理テーブルを参照して、この登録済みの電話番号に対応するアドレス情報と前記通知されたアドレス情報との一致／不一致を判定する判定手段と、
前記通知されたアドレス情報が前記登録済みの電話番号に対応するアドレス情報に一致しない場合に、前記アドレス管理テーブルにおける前記登録済みの電話番号に対応するアドレス情報を前記通知されたアドレス情報により上書きして前記アドレス管理テーブルを更新する更新手段とを備えることを特徴とする電話システム。
【請求項２】
前記検証手段は、前記特定された電話番号が登録済みである場合にその旨をログイン元の電話機に通知することを特徴とする請求項１に記載の電話システム。
【請求項３】
前記複数の電話装置の各々は、前記ログイン操作において入力された使用者の識別情報を記憶し、この記憶した識別情報に基づいて定期的に前記サーバ装置にログイン処理を行うことを特徴とする請求項１に記載の電話システム。
【請求項４】
前記複数の電話装置の各々は、前記サーバ装置からの指示に応じて前記記憶した識別情報を削除することを特徴とする請求項３に記載の電話システム。
【請求項５】
パケット通信網に接続されこのパケット通信網におけるアドレス情報を一意に付与される複数の電話装置と、これらの複数の電話装置への着信を前記アドレス情報に基づいて制御する交換装置と、前記パケット通信網に接続されるサーバ装置とを具備する電話システムにおけるログイン管理方法であって、
前記複数の電話装置の各々は、
使用者の識別情報に基づくログイン操作を受け付け、この識別情報と自装置のアドレス情報とを前記サーバ装置に通知し、
前記サーバ装置は、
前記複数の電話装置の電話番号ごとに前記使用者の識別情報を対応付けてテーブル化した使用者管理テーブルを記憶し、
前記使用者の電話番号に対応する電話機のアドレス情報を動的に対応付けてテーブル化したアドレス管理テーブルを記憶し、
前記ログイン操作がなされた場合に、前記識別情報をキーとして前記使用者管理テーブルを参照してログインユーザの電話番号を特定し、
前記特定された電話番号をキーとして前記アドレス管理テーブルを参照して、当該特定された電話番号の登録の有無を検証し、
前記特定された電話番号が登録済みである場合に前記アドレス管理テーブルを参照して、この登録済みの電話番号に対応するアドレス情報と前記通知されたアドレス情報との一致／不一致を判定し、
前記通知されたアドレス情報が前記登録済みの電話番号に対応するアドレス情報に一致しない場合に、前記アドレス管理テーブルにおける前記登録済みの電話番号に対応するアドレス情報を前記通知されたアドレス情報により上書きして前記アドレス管理テーブルを更新することを特徴とするログイン管理方法。
【請求項６】
前記サーバ装置は、前記特定された電話番号が登録済みである場合にその旨をログイン元の電話機に通知することを特徴とする請求項５に記載のログイン管理方法。
【請求項７】
前記複数の電話装置の各々は、前記ログイン操作において入力された使用者の識別情報を記憶し、この記憶した識別情報に基づいて定期的に前記サーバ装置にログイン処理を行うことを特徴とする請求項５に記載のログイン管理方法。
【請求項８】
前記複数の電話装置の各々は、前記サーバ装置からの指示に応じて前記記憶した識別情報を削除することを特徴とする請求項７に記載のログイン管理方法。
【発明の詳細な説明】
【技術分野】
【０００１】
この発明は、オフィス内における内線電話システムなどに用いられる電話システムとそのログイン管理方法に関する。特にこの発明は、ＩＰ（Internet Protocol）を利用して端末間での音声通信を実施する電話システムとそのログイン管理方法に関する。
【背景技術】
【０００２】
インターネットなどのベストエフォート型通信網を介して音声情報を通信するシステムが知られている。この種のシステムはＩＰ電話機システム、あるいはＶｏＩＰ（Voice over IP）と称されることもある。この技術は構内電話網などのローカル通信網にも応用されている。以下、この種のシステムをＩＰ電話システムと称し、このシステムに用いられる電話装置をＩＰ電話機と称する。
【０００３】
一方、旧来の電話システムにおいても多機能化が進んでおり、利用者の個人ＩＤ（Identification）と個人情報データベースとを組み合わせてきめの細かいサービスを提供する技術が開示されている（例えば、特許文献１を参照）。この種の機能はＶｏＩＰシステムにおいても開発されてきており、特にＳＩＰ（Session Initiation Protocol）と称するプロトコルを用いることで、システムのさらなる発展が期待されている。
【０００４】
このようなＩＰ電話システムにおいては、電話機に割り当てる電話番号と電話機のＩＰアドレスとを対応付けてデータベース化し、交換機サーバなどのサーバ装置において一元管理するようにしている。このため電話機の使用開始時に、電話機から電話機使用者の識別情報（電話番号やＩＤなど）と共にＩＰアドレスをサーバ装置に通知し、登録する手順を設けるようにしている。電話機の初期状態では識別情報が電話機内に保持されていないので、ユーザによってマニュアルで入力される。この１回目の登録処理を特にログインと称する。ログイン処理の完了後は電話機が定期的（例えば１時間に１回、１日に１回など）に再登録動作を自動的に行い、登録情報を更新するのが一般的である。
【特許文献１】特開２００２−１５８７７１号公報
【発明の開示】
【発明が解決しようとする課題】
【０００５】
ところでこの種の電話システムにおいては、ユーザはどの電話機からでも自由にログインできるようになっていることが多い。つまりどこに置いてある電話機でも、ログイン操作を行えばそのユーザの電話番号がその電話機に割り当てられ、ユーザは自分の電話機として使うことができるようになっている。ユーザが場所を移動する場合、それまで使っていた電話機からログアウトし、登録情報を削除したのちに移動先の電話機からシステムにログインすることになる。
【０００６】
しかしながらログアウト操作を忘れたまま移動すると、そのユーザへの着信は前の場所の電話機に接続され続けることになり、特にオフィス内などの公共性の高い場所においては不都合になることがある。システムから登録情報を削除するためにはユーザは前の場所に戻ってそこからログアウト操作をしなければならならず、場合によっては煩わしく感じることがある。  
この発明は上記事情によりなされたもので、その目的は、ログアウト操作を忘れたユーザが移動前の場所に戻る必要を無くし、これにより使い勝手の良い電話システムとそのログイン管理方法を提供することにある。
【課題を解決するための手段】
【０００７】
上記目的を達成するために本発明の一態様によれば、パケット通信網に接続されこのパケット通信網におけるアドレス情報を一意に付与される複数の電話装置と、これらの複数の電話装置への着信を前記アドレス情報に基づいて制御する交換装置と、前記パケット通信網に接続されるサーバ装置とを具備する電話システムであって、前記複数の電話装置の各々は、使用者の識別情報に基づくログイン操作を受け付け、この識別情報と自装置のアドレス情報とを前記サーバ装置に通知する通知手段を備え、前記サーバ装置は、前記複数の電話装置の電話番号ごとに前記使用者の識別情報を対応付けてテーブル化した使用者管理テーブルと、前記使用者の電話番号に対応する電話機のアドレス情報を動的に対応付けてテーブル化したアドレス管理テーブルと、前記ログイン操作がなされた場合に、前記識別情報をキーとして前記使用者管理テーブルを参照してログインユーザの電話番号を特定する特定手段と、前記特定された電話番号をキーとして前記アドレス管理テーブルを参照して、当該特定された電話番号の登録の有無を検証する検証手段と、前記特定された電話番号が登録済みである場合に前記アドレス管理テーブルを参照して、この登録済みの電話番号に対応するアドレス情報と前記通知されたアドレス情報との一致／不一致を判定する判定手段と、前記通知されたアドレス情報が前記登録済みの電話番号に対応するアドレス情報に一致しない場合に、前記アドレス管理テーブルにおける前記登録済みの電話番号に対応するアドレス情報を前記通知されたアドレス情報により上書きして前記アドレス管理テーブルを更新する更新手段とを備えることを特徴とする電話システムが提供される。
【０００８】
このような手段を講じることにより、ＩＰ電話機においてログイン操作がなされると、使用者識別情報からログインユーザの電話番号が特定される。そうすると、同じ電話番号によるログイン処理が既になされているか否かが検証され、重複する電話番号が既にある場合には、この既に登録済みのアドレス情報と、ログイン元のアドレス情報とが比較される。これらのアドレス情報が一致する場合には、更新手段により同じ電話番号に対するアドレス情報が新たなアドレス情報により上書きされ、アドレス管理テーブルが更新される。
【０００９】
従って、個々の電話番号には常に一つのアドレス情報が割りあてられることになり、同じ電話番号に重複して複数のアドレス情報が割り当てられることがなくなる。いわば、同じユーザからログイン操作がなされた場合、後のログイン操作が優先されて登録され、過去の登録情報はシステムから削除されるようになる。従ってログアウト操作を忘れたユーザが移動前の場所に戻る必要が無くなり、交換装置からの着信はユーザごとに常に一つの電話機にのみ到達するようになるので、使い勝手の良い電話システムを提供することができる。
【発明の効果】
【００１０】
この発明によれば、ログアウト操作を忘れたユーザが移動前の場所に戻る必要が無くなるので、使い勝手の良い電話システムとそのログイン管理方法を提供することができる。
【発明を実施するための最良の形態】
【００１１】
［第１の実施形態］
図１は、本発明に係わる電話システムの一実施形態を示すシステム図である。図１において、複数のＩＰ電話機３１〜３ｎはいずれもＩＰネットワークに接続される。ＩＰネットワークには交換機サーバ１０および登録情報管理サーバ２０も接続されており、いわゆるＶｏＩＰシステムが形成される。このうち交換機サーバ１０は通話呼の交換動作を制御する。ＩＰネットワークがＬＡＮ（Local Area Network）である場合には、図１のシステムは特に構内内線電話システムとして実現される。
【００１２】
図２は、図１の登録情報管理サーバ２０の機能ブロック図である。図２において登録情報管理サーバ２０は、ＩＰネットワークに接続されるインタフェース部（Ｉ／Ｆ）２１と、表示部２２と、入出力部２３と、制御部２４と、記憶部２５とを備える。このうち記憶部２５は、ユーザ管理テーブル２５ａと、アドレス管理テーブル２５ｂとを専用の記憶領域に記憶する。
【００１３】
図３は、図２のユーザ管理テーブル２５ａを示す図である。このテーブルは電話番号と電話使用者個人を識別する情報とを管理するためのテーブルであり、内線電話番号と、その電話を使用する個人のＩＤ（Identification）、およびパスワード（ＰＷ）などから構成される。図３の例では、電話番号１００は、ＩＤ＝ＡＡＡ、ＰＷ＝ａａａの使用者に、また電話番号１０１はＩＤ＝ＢＢＢ、ＰＷ＝ｂｂｂの使用者に割り振ってあることになる。
【００１４】
図４は、図２のアドレス管理テーブル２５ｂを示す図である。このテーブルは、電話番号とその番号を割り当てられるＩＰ電話機のＩＰアドレスとの対応を管理するためのテーブルである。図４の例では、ＩＰアドレスxxx.yyy.zzz.aaaを持つＩＰ電話機に電話番号１００が割り当てられ、ＩＰアドレスxxx.yyy.zzz.bbbを持つＩＰ電話機に電話番号１０１が割り当てられたことを示す。ＩＰ電話機の使用者は電話の使用を開始するとき（毎朝の始業時など）に、使用者識別情報（ＩＤ，ＰＷ）をＩＰ電話機から入力する。この操作をログイン操作と称し、この処理を行うことでユーザはその電話機を自分専用の電話機として使用することができるようになる。
【００１５】
ところで、図２において制御部２４は、この発明に係わる処理機能として特定処理部２４ａと、検証処理部２４ｂと、判定処理部２４ｃと、更新処理部２４ｄとを備える。特定処理部２４ａは、ログイン操作がなされた場合に、ＩＰ電話機から通知される使用者識別情報をキーとしてユーザ管理テーブル２５ａを参照し、ログインユーザの電話番号を特定する。検証処理部２４ｂは、特定された電話番号をキーとしてアドレス管理テーブル２５ｂを参照し、特定された電話番号の登録の有無を検証する。判定処理部２４ｃは、特定された電話番号が登録済みである場合には、アドレス管理テーブル２５ｂを参照してこの登録済みの電話番号に対応するＩＰアドレスと、ログイン元のＩＰ電話機からの通知に含まれるＩＰアドレスとの一致／不一致を判定する。更新処理部２４ｄは、通知されたＩＰアドレスが登録済みの電話番号に対応するＩＰアドレスに一致しない場合に、アドレス管理テーブル２５ｂにおける登録済みの電話番号に対応するＩＰアドレスを、通知されたＩＰアドレスにより上書きする。これによりアドレス管理テーブル２５ｂには、常に最新のログイン操作に基づくＩＰアドレスが記載されることになる。
【００１６】
図５は、図１のＩＰ電話機３１（３２，３ｎ）のログイン処理手順を示すフローチャートである。図５において電源がＯＮされると（ステップＳ４０１）、ＩＰ電話機３１はまず自己のメモリ内に使用者識別情報（ＩＤ／ＰＷ）が保存されているか否かを確認する（ステップＳ４０２）。使用者識別情報が保存されていれば（ステップＳ４０３でＹｅｓ）、このＩＤ／ＰＷと、ＩＰ電話機３１予めに割り当てられるＩＰアドレスとを登録情報管理サーバ２０に通知する（ステップＳ４０５）。折り返し登録情報管理サーバ２０から、送信したＩＤ／ＰＷに対応する電話番号が通知され、以降、ＩＰ電話機３１は通知された番号で動作することになる。
【００１７】
一方、ステップＳ４０３で使用者識別情報が保存されていなければ（Ｎｏ）、使用者がマニュアル操作でダイヤルボタンなどからＩＤ／ＰＷを入力する（ステップＳ４０４）。そうすると、ＩＰ電話機３１はこのＩＤ／ＰＷと、自己に予め割り当てられるＩＰアドレスとを登録情報管理サーバ２０に通知し（ステップＳ４０５）、登録情報管理サーバ２０からＩＤ／ＰＷに対応する電話番号が折り返し通知される。これ以降、ＩＰ電話機３１は通知された番号で動作する。このようにして、任意のＩＰ電話機に使用者個人の番号を割り当てて使用することができる。
【００１８】
図６は、ＩＰ電話機のログイン処理時における登録情報管理サーバ２０の処理手順を示すフローチャートである。図６において、個人識別情報（ＩＤ／ＰＷ）とＩＰアドレスとを含む登録情報の通知をＩＰ電話機から受信すると（ステップＳ５０１）、登録情報管理サーバ２０はユーザ管理テーブル２５ａを検索する（ステップＳ５０２）。次に登録情報管理サーバ２０は、検索の結果に基づいて、通知されたＩＤ／ＰＷの正常性を確認する（ステップＳ５０３）。ＩＤ／ＰＷが正しくなければ（Ｎｏ）、登録が正常に終了しなかったこと（ＮＧ終了）を通知元のＩＰ電話機に通知する（ステップＳ５０４）。
【００１９】
ＩＤ／ＰＷが正しければ（ステップＳ５０３でＹｅｓ）、登録情報管理サーバ２０は電話番号と通知されたＩＰアドレスとを対応付けてアドレス管理テーブル２５ｂに登録し（ステップＳ５０５）、登録の正常終了を通知元のＩＰ電話機に通知する（ステップＳ５０６）。これにより、登録通知を送出したＩＰ電話機が使用可能となる。
【００２０】
例えば、ＩＰアドレスxxx.yyy.zzz.cccのＩＰ電話機からＩＤ／ＰＷ＝ＣＣＣ／ｃｃｃである使用者識別情報を通知されたとする。この場合、図３のユーザ管理テーブル２５ａを参照すると、ログインしたユーザの電話番号は１０２であると特定できる。そして、電話番号１０２のＩＰアドレスをxxx.yyy.zzz.cccとしてアドレス管理テーブル２５ｂに登録することによりログインが完了し、これ以降、このＩＰ電話機を番号１０２のＩＰ電話機として使用できるようになる。
【００２１】
ＩＰ電話機は、最初（初回：初期登録）のログイン動作が正常に完了すると、電源がＯＮされている間は一時間に一回、あるいは一日に一回などの周期で定期的に自動登録動作を繰り返す。これにより登録情報管理サーバ２０は、ログイン後のＩＰ電話機の使用が継続していることを認識できる。なおアドレス管理テーブル２５ｂにおいて、初回の登録処理のなされていない電話機のＩＰアドレスは空欄となる。
【００２２】
ところで、複数のＩＰ電話機から同じ使用者識別情報（ＩＤ／ＰＷ）によるログイン操作が行われた場合に、一つの電話番号に対して複数のＩＰ電話機が割り当てられることとなる。この複数登録を電話システムが（あるいはシステムの運用方針が）許容する場合には問題にならないが、そうでない場合には、別のＩＰ電話機を登録操作を行う場合には、必ず旧ＩＰ電話機の登録を削除するための操作（ログアウト操作）を行うことが必要になる。次に、旧ＩＰ電話機のログアウト操作不要とする処理手順を説明する。
【００２３】
図７は、複数のＩＰ電話機から同じ使用者識別情報（ＩＤ／ＰＷ）で登録動作が行われた場合の登録情報管理サーバ２０の処理手順を示すフローチャートである。図７においてＩＰ電話機からの登録通知を受信すると（ステップＳ６０１）、登録情報管理サーバ２０は通知されたＩＤ／ＰＷをキーとしてユーザ管理テーブル２５ａから電話番号を検索し、対応する電話番号を読み出す（ステップＳ６０２）。
【００２４】
次に登録情報管理サーバ２０は、読み出した電話番号がアドレス管理テーブル２５ｂに登録済みか否かを判定する（ステップＳ６０３）。登録されていなければ（Ｎｏ）、新規のログイン処理として電話番号とＩＰアドレスとを新たに登録し、正常終了となる（ステップＳ６０７）。同じ電話番号が登録されていれば（ステップＳ６０３でＹｅｓ）、登録情報管理サーバ２０は、さらにＩＰアドレスも同じであるか否かを確認する（ステップＳ６０４）。登録されているＩＰアドレスが同じである場合には（Ｙｅｓ）、同じ端末からの登録更新要求であると判断できるので登録情報を書き換える必要はなく、登録の更新処理は正常終了する（ステップＳ６０５）。
【００２５】
一方、ステップＳ６０４でＩＰアドレスが異なる場合には（Ｎｏ）、別のＩＰ電話機からの登録通知であると判断することができる（ステップＳ６０６）。この場合、登録情報管理サーバ２０はＩＰ電話機からの通知内容から、電源投入時などの初期登録であるか、あるいは定期的な登録更新通知かをさらに識別する（ステップＳ６０８）。初期登録であれば、登録情報管理サーバ２０は既に登録済みのＩＰ電話機に対して、登録を削除する旨を通知する（ステップＳ６０９）と共に、アドレス管理テーブル２５ｂに新たな登録情報を上書きする（ステップＳ６１１）。これにより新しいＩＰ電話機を使用可能にすることができる。一方、ステップＳ６０８で登録更新であれば、他のＩＰ電話機が既に登録中であるために登録更新ができない旨を通知元のＩＰ電話機に返送し（ステップＳ６１０）、アドレス管理テーブル２５ｂは更新されない。
【００２６】
このような手順により、定期的な自動登録更新通知を除いて、初回のログイン操作については後になされた処理を優先して登録されるようになる。従って旧ＩＰ電話機の登録削除処理を行わなくとも、別の場所の別のＩＰ電話機から新たな登録情報を通知することだけで、そのＩＰ電話機を使用可能にすることができる。すなわち、ログアウト操作を忘れたユーザによって電話機からログインされた際には最新のログイン処理が優先され、過去のログインが強制的にログアウトされるので、ログアウト操作を忘れたユーザが移動前の場所に戻る必要が無くなる。従って電話システムの使い勝手をより向上させることが可能となる。
【００２７】
このように、本実施形態ではログインを要求する登録通知を受信すると、登録通知に含まれる使用者識別情報からログインユーザの電話番号を読み出し、同じ電話番号が登録されている場合にはさらにＩＰアドレスの一致／不一致を登録情報管理サーバ２０において確認する。電話番号が一致するがＩＰアドレスは一致しない場合には、このログインが初期登録か、登録更新であるかを判定する。初期登録であれば、同じユーザによる異なる電話機からのログインがなされたと判断し、新たな登録情報によりアドレス管理テーブル２５ｂの内容を上書きするようにしている。これにより、同じユーザによって別々の電話機からログイン操作がなされた場合には、後のログインが優先されて、先のログインによる登録情報が削除されるようになる。従って、ログアウト操作を忘れたユーザが移動前の場所に戻る必要を無くし、これにより使い勝手の良い電話システムとそのログイン管理方法を提供することが可能になる。
【００２８】
なお、この発明は上記実施形態に限定されるものではない。例えば上記実施形態では登録情報管理サーバ２０側において複数ＩＰ電話機の登録の有無をチェックするようにした。これに代えて、このチェック機能をＩＰ電話機側に設けるようにしても良い。  
図８は、複数登録の有無をチェックするためのＩＰ電話機の処理手順を示すフローチャートである。図８においてＩＰ電話機は、ログイン操作に伴う登録情報の通知（ステップＳ７０１）の際に、登録情報管理サーバ２０から現状の登録情報を教えてもらい、自機以外に登録情報がいない場合には登録動作を続行する（ステップＳ７０４）。また、自機以外の登録情報があり、かつ自機が初回登録の場合には、登録動作を続行すると共に他者の登録情報を削除する。これは、電話番号に対するＩＤ／ＰＷは既知であることから、可能である。さらに、自機以外の登録情報があり、かつ自機も登録更新である場合には登録動作を中止し、自ＩＰ電話機を未登録の状態として使用できない状態とする（ステップＳ７０３）。この処理手順は、登録情報管理サーバ２０側で複数登録を許容するにも関わらず、運用上の理由などから複数登録を望まない場合に適用できる。
【００２９】
また、図５において、ＩＰ電話機内に使用者識別情報が記憶されている場合にはステップＳ４０４をジャンプして使用者のＩＤ／ＰＷ入力操作を不要にすることができるようにしている。これに代えて、電源オフと同時にＩＰ電話機内の使用者識別情報を消去し、ＩＰ電話機の起動のたびに、その都度ＩＤ／ＰＷの入力操作を使用者に促すようにしても良い。
【００３０】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００３１】
【図１】本発明に係わる電話システムの一実施形態を示すシステム図。
【図２】図１の登録情報管理サーバ２０の機能ブロック図。
【図３】図２のユーザ管理テーブル２５ａを示す図。
【図４】図２のアドレス管理テーブル２５ｂを示す図。
【図５】図１のＩＰ電話機３１（３２，３ｎ）のログイン処理手順を示すフローチャート。
【図６】ＩＰ電話機３１〜３ｎのログイン処理時における登録情報管理サーバ２０の処理手順を示すフローチャート。
【図７】複数のＩＰ電話機から同じ使用者識別情報（ＩＤ／ＰＷ）で登録動作が行われた場合の登録情報管理サーバ２０の処理手順を示すフローチャート。
【図８】複数登録の有無をチェックするためのＩＰ電話機の処理手順を示すフローチャート。
【符号の説明】
【００３２】
１０…交換機サーバ、２０…登録情報管理サーバ、３１〜３ｎ…ＩＰ電話機、２１…インタフェース部（Ｉ／Ｆ）、２２…表示部、２３…入出力部、２４…制御部、２４ａ…特定処理部、２４ｂ…検証処理部、２４ｃ…判定処理部、２４ｄ…更新処理部、２５…記憶部、２５ａ…ユーザ管理テーブル、２５ｂ…アドレス管理テーブル
【図１】
2006333219.tif 000003
【図２】
2006333219.tif 000004
【図３】
2006333219.tif 000005
【図４】
2006333219.tif 000006
【図５】
2006333219.tif 000007
【図６】
2006333219.tif 000008
【図７】
2006333219.tif 000009
【図８】
2006333219.tif 000010
【手続補正書】
【提出日】平成18年2月28日(2006.2.28)
【手続補正２】
【補正対象書類名】特許請求の範囲
【補正対象項目名】全文
【補正方法】変更
【補正の内容】
【特許請求の範囲】
【請求項１】
パケット通信網におけるアドレス情報を一意に付与される複数の電話装置と、これらの複数の電話装置への着信を前記アドレス情報に基づいて制御する交換装置と、前記パケット通信網に接続されるサーバ装置とを具備する電話システムであって、
前記複数の電話装置の各々は、
使用者の識別情報に基づくログイン操作を受け付け、この識別情報と自装置のアドレス情報とを前記サーバ装置に通知する通知手段を備え、
前記サーバ装置は、
前記複数の電話装置の電話番号ごとに前記使用者の識別情報を対応付けてテーブル化した使用者管理テーブルと、
前記使用者の電話番号に対応する電話装置のアドレス情報を動的に対応付けてテーブル化したアドレス管理テーブルと、
前記ログイン操作がなされた場合に、前記識別情報に基づいて前記使用者管理テーブルを参照してログインユーザの電話番号を特定する特定手段と、
前記特定された電話番号に基づいて前記アドレス管理テーブルを参照して、当該特定された電話番号の登録の有無を検証する検証手段と、
前記特定された電話番号が登録済みである場合に前記アドレス管理テーブルを参照して、この登録済みの電話番号に対応するアドレス情報と前記通知されたアドレス情報との一致／不一致を判定する判定手段と、
前記通知されたアドレス情報が前記登録済みの電話番号に対応するアドレス情報に一致しない場合に、前記アドレス管理テーブルにおける前記登録済みの電話番号に対応するアドレス情報を前記通知されたアドレス情報により上書きして前記アドレス管理テーブルを更新する更新手段とを備えることを特徴とする電話システム。
【請求項２】
前記検証手段は、前記特定された電話番号が登録済みである場合にその旨をログイン元の電話装置に通知することを特徴とする請求項１に記載の電話システム。
【請求項３】
前記複数の電話装置の各々は、前記ログイン操作において入力された使用者の識別情報を記憶し、この記憶した識別情報に基づいて定期的に前記サーバ装置にログイン処理を行うことを特徴とする請求項１に記載の電話システム。
【請求項４】
前記複数の電話装置の各々は、前記サーバ装置からの指示に応じて前記記憶した識別情報を削除することを特徴とする請求項３に記載の電話システム。
【請求項５】
パケット通信網におけるアドレス情報を一意に付与される複数の電話装置と、これらの複数の電話装置への着信を前記アドレス情報に基づいて制御する交換装置と、前記パケット通信網に接続されるサーバ装置とを具備する電話システムにおけるログイン管理方法であって、
前記複数の電話装置の各々は、
使用者の識別情報に基づくログイン操作を受け付け、この識別情報と自装置のアドレス情報とを前記サーバ装置に通知し、
前記サーバ装置は、
前記複数の電話装置の電話番号ごとに前記使用者の識別情報を対応付けてテーブル化した使用者管理テーブルを記憶し、
前記使用者の電話番号に対応する電話装置のアドレス情報を動的に対応付けてテーブル化したアドレス管理テーブルを記憶し、
前記ログイン操作がなされた場合に、前記識別情報に基づいて前記使用者管理テーブルを参照してログインユーザの電話番号を特定し、
前記特定された電話番号に基づいて前記アドレス管理テーブルを参照して、当該特定された電話番号の登録の有無を検証し、
前記特定された電話番号が登録済みである場合に前記アドレス管理テーブルを参照して、この登録済みの電話番号に対応するアドレス情報と前記通知されたアドレス情報との一致／不一致を判定し、
前記通知されたアドレス情報が前記登録済みの電話番号に対応するアドレス情報に一致しない場合に、前記アドレス管理テーブルにおける前記登録済みの電話番号に対応するアドレス情報を前記通知されたアドレス情報により上書きして前記アドレス管理テーブルを更新することを特徴とするログイン管理方法。
【請求項６】
前記サーバ装置は、前記特定された電話番号が登録済みである場合にその旨をログイン元の電話装置に通知することを特徴とする請求項５に記載のログイン管理方法。
【請求項７】
前記複数の電話装置の各々は、前記ログイン操作において入力された使用者の識別情報を記憶し、この記憶した識別情報に基づいて定期的に前記サーバ装置にログイン処理を行うことを特徴とする請求項５に記載のログイン管理方法。
【請求項８】
前記複数の電話装置の各々は、前記サーバ装置からの指示に応じて前記記憶した識別情報を削除することを特徴とする請求項７に記載のログイン管理方法。
【請求項９】
パケット通信網におけるアドレス情報を一意に付与される複数の電話装置と、これらの複数の電話装置への着信を前記アドレス情報に基づいて制御する交換装置とを備える電話システムに用いられるサーバ装置であって、
前記複数の電話装置の電話番号ごとに前記使用者の識別情報を対応付けてテーブル化した使用者管理テーブルと、
前記使用者の電話番号に対応する電話装置のアドレス情報を動的に対応付けてテーブル化したアドレス管理テーブルと、
電話装置からログイン操作がなされた場合に、このログイン操作により通知される当該電話装置の識別情報に基づいて前記使用者管理テーブルを参照してログインユーザの電話番号を特定する特定手段と、
前記特定された電話番号に基づいて前記アドレス管理テーブルを参照して、当該特定された電話番号の登録の有無を検証する検証手段と、
前記特定された電話番号が登録済みである場合に前記アドレス管理テーブルを参照して、この登録済みの電話番号に対応するアドレス情報と前記通知されたアドレス情報との一致／不一致を判定する判定手段と、
前記ログイン操作により通知された当該ログイン元の電話装置のアドレス情報が前記登録済みの電話番号に対応するアドレス情報に一致しない場合に、前記アドレス管理テーブルにおける前記登録済みの電話番号に対応するアドレス情報を前記通知されたアドレス情報により上書きして前記アドレス管理テーブルを更新する更新手段とを具備することを特徴とするサーバ装置。
【請求項１０】
前記特定された電話番号が登録済みである場合にその旨をログイン元の電話装置に通知する手段をさらに具備することを特徴とする請求項９に記載のサーバ装置。
【手続補正３】
【補正対象書類名】明細書
【補正対象項目名】０００６
【補正方法】変更
【補正の内容】
【０００６】
しかしながらログアウト操作を忘れたまま移動すると、そのユーザへの着信は前の場所の電話機に接続され続けることになり、特にオフィス内などの公共性の高い場所においては不都合になることがある。システムから登録情報を削除するためにはユーザは前の場所に戻ってそこからログアウト操作をしなければならならず、場合によっては煩わしく感じることがある。  
この発明は上記事情によりなされたもので、その目的は、ログアウト操作を忘れたユーザが移動前の場所に戻る必要を無くし、これにより使い勝手の良い電話システムとそのログイン管理方法およびサーバ装置を提供することにある。
【手続補正４】
【補正対象書類名】明細書
【補正対象項目名】０００７
【補正方法】変更
【補正の内容】
【０００７】
上記目的を達成するために本発明の一態様によれば、パケット通信網におけるアドレス情報を一意に付与される複数の電話装置と、これらの複数の電話装置への着信を前記アドレス情報に基づいて制御する交換装置と、前記パケット通信網に接続されるサーバ装置とを具備する電話システムであって、前記複数の電話装置の各々は、使用者の識別情報に基づくログイン操作を受け付け、この識別情報と自装置のアドレス情報とを前記サーバ装置に通知する通知手段を備え、前記サーバ装置は、前記複数の電話装置の電話番号ごとに前記使用者の識別情報を対応付けてテーブル化した使用者管理テーブルと、前記使用者の電話番号に対応する電話装置のアドレス情報を動的に対応付けてテーブル化したアドレス管理テーブルと、前記ログイン操作がなされた場合に、前記識別情報に基づいて前記使用者管理テーブルを参照してログインユーザの電話番号を特定する特定手段と、前記特定された電話番号に基づいて前記アドレス管理テーブルを参照して、当該特定された電話番号の登録の有無を検証する検証手段と、前記特定された電話番号が登録済みである場合に前記アドレス管理テーブルを参照して、この登録済みの電話番号に対応するアドレス情報と前記通知されたアドレス情報との一致／不一致を判定する判定手段と、前記通知されたアドレス情報が前記登録済みの電話番号に対応するアドレス情報に一致しない場合に、前記アドレス管理テーブルにおける前記登録済みの電話番号に対応するアドレス情報を前記通知されたアドレス情報により上書きして前記アドレス管理テーブルを更新する更新手段とを備えることを特徴とする電話システムが提供される。